【手続補正書】
【提出日】平成16年10月14日(2004.10.14)
【手続補正１】
【補正対象書類名】明細書
【補正対象項目名】全文
【補正方法】変更
【補正の内容】
【書類名】      明細書
【発明の名称】      遊技機用基板ボックスユニット
【特許請求の範囲】
【請求項１】  遊技機の遊技内容を制御する回路基板を被包する遊技機用基板ボックスと、その遊技機用基板ボックスに当接する板状の主板を具備し前記遊技機用基板ボックスが着脱可能に取り付けられると共に導電性を有する取付部材とを備えた遊技機用基板ボックスユニットにおいて、
前記遊技機用基板ボックスに形成され前記回路基板に接続される信号線を導出する導出口と、
前記取付部材の主板から立設された側壁と、
その側壁から屈曲して形成され、前記遊技機用基板ボックスが前記取付部材に取り付けられた状態において前記導出口に挿入される爪部材と、
前記導出口を跨いで凸状に形成された接続部を有し、前記遊技機用基板ボックスが前記取付部材に取り付けられた状態において、その接続部が前記爪部材の下面に当接すると共に前記回路基板のグランドと前記取付部材とを電気的に接続する弾性変形可能に形成された接続部材とを備え、
前記遊技機用基板ボックスが前記取付部材に取り付けられた場合、前記爪部材により前記接続部を押圧して前記接続部材を弾性変形し、その接続部材の復元力により前記爪部材を付勢することを特徴とする遊技機用基板ボックスユニット。
【請求項２】  遊技機の遊技内容を制御する回路基板を被包する遊技機用基板ボックスと、その遊技機用基板ボックスが着脱可能に取り付けられると共に導電性を有する取付部材とを備えた遊技機用基板ボックスユニットにおいて、
前記遊技機用基板ボックスに穿設された導出穴と、
その導出穴を貫通して遊技機用基板ボックスの外方へ延出されると共に前記遊技機用基板ボックスの外方において前記遊技機用基板ボックスから離れる方向に傾斜した延出部と、その延出部の先端において屈曲して形成された接続部と、その接続部において前記遊技機用基板ボックスとは反対側に凸設された凸部とを有し、前記遊技機用基板ボックスが前記取付部材に取り付けられた状態で前記凸部により前記取付部材に当接して前記回路基板のグランドと前記取付部材とを電気的に接続すると共に弾性変形可能に形成された接続部材とを備え、
前記遊技機用基板ボックスが前記取付部材に取り付けられた場合、前記接続部材を前記取付部材と遊技機用基板ボックスとにて挟み込んで弾性変形させ、その接続部材の復元力により前記取付部材を付勢することを特徴とする遊技機用基板ボックスユニット。
【発明の詳細な説明】
【０００１】
【発明の属する技術分野】  本発明は、回路基板を被包する遊技機用基板ボックスと遊技機用基板ボックスが取り付けられる取付部材とを備えた遊技機用基板ボックスユニットに関し、特に、遊技機用基板ボックスを取付部材に取り付けることにより、回路基板のグランドと取付部材とを電気的に接続することができる遊技機用基板ボックスユニットに関するものである。
【０００２】
【従来の技術】  近年、パチンコ機およびスロットマシーン等の遊技機は、遊技盤に設けられる入賞装置および表示装置等を制御して遊技の興趣を盛り上げるものが主流となっている。この入賞装置および表示装置の制御はＩＣ，ＬＳＩ等の多数の電子部品を配設したロジック制御回路基板またはマイクロコンピュータを有する制御回路基板により行われ、この制御回路基板はボックスベースおよびボックスカバーを備えた基板ボックスに被包されている。
【０００３】
この基板ボックスは、導電性を有する金属材料で構成された取付板に取り付けられ、遊技機の遊技盤に配設された入賞球集合カバー等に取り付けられる。取付板には接続端子が形成されており、その接続端子には制御回路基板のグランドに電気的に接続されたアース線が着脱自在に取着される。かかるアース線を取付板の接続端子に取着することにより、基板ボックスに被包された制御回路基板のグランドと取付板とが電気的に接続されるので、制御回路基板の誤動作の原因となる電気的ノイズを除去することができるのである。
【０００４】
【発明が解決しようとする課題】  しかしながら、制御回路基板のグランドに接続されたアース線を取付板の接続端子に取着する場合、アース線を接続端子にスクリュードライバ等のねじ回し工具を用いてねじ止めする必要があり、基板ボックスの取付板への取り付け作業が煩雑になるという問題点があった。
【０００５】
本発明は上述した問題点を解決するためになされたものであり、遊技機用基板ボックスを取付部材に取り付けることにより、回路基板のグランドと取付部材とを電気的に接続することができる遊技機用基板ボックスユニットを提供することを目的としている。
【０００６】
【課題を解決するための手段】  この目的を達成するために請求項１記載の遊技機用基板ボックスユニットは、遊技機の遊技内容を制御する回路基板を被包する遊技機用基板ボックスと、その遊技機用基板ボックスに当接する板状の主板を具備し前記遊技機用基板ボックスが着脱可能に取り付けられると共に導電性を有する取付部材とを備えており、前記遊技機用基板ボックスに形成され前記回路基板に接続される信号線を導出する導出口と、前記取付部材の主板から立設された側壁と、その側壁から屈曲して形成され、前記遊技機用基板ボックスが前記取付部材に取り付けられた状態において前記導出口に挿入される爪部材と、前記導出口を跨いで凸状に形成された接続部を有し、前記遊技機用基板ボックスが前記取付部材に取り付けられた状態において、その接続部が前記爪部材の下面に当接すると共に前記回路基板のグランドと前記取付部材とを電気的に接続する弾性変形可能に形成された接続部材とを備え、前記遊技機用基板ボックスが前記取付部材に取り付けられた場合、前記爪部材により前記接続部を押圧して前記接続部材を弾性変形し、その接続部材の復元力により前記爪部材を付勢する。
【０００７】
この請求項１記載の遊技機用基板ボックスユニットによれば、遊技機用基板ボックスが取付部材に取り付けられると、接続部材が弾性変形して、かかる接続部材により回路基板のグランドと取付部材とが電気的に接続される。一方、この接続部材が弾性変形することにより取付部材が付勢され、遊技機用基板ボックスが取付部材に対してガタつくことなく取り付けられる。
請求項２記載の遊技機用基板ボックスユニットは、遊技機の遊技内容を制御する回路基板を被包する遊技機用基板ボックスと、その遊技機用基板ボックスが着脱可能に取り付けられると共に導電性を有する取付部材とを備えており、前記遊技機用基板ボックスに穿設された導出穴と、その導出穴を貫通して遊技機用基板ボックスの外方へ延出されると共に前記遊技機用基板ボックスの外方において前記遊技機用基板ボックスから離れる方向に傾斜した延出部と、その延出部の先端において屈曲して形成された接続部と、その接続部において前記遊技機用基板ボックスとは反対側に凸設された凸部とを有し、前記遊技機用基板ボックスが前記取付部材に取り付けられた状態で前記凸部により前記取付部材に当接して前記回路基板のグランドと前記取付部材とを電気的に接続すると共に弾性変形可能に形成された接続部材とを備え、前記遊技機用基板ボックスが前記取付部材に取り付けられた場合、前記接続部材を前記取付部材と遊技機用基板ボックスとにて挟み込んで弾性変形させ、その接続部材の復元力により前記取付部材を付勢する。
【０００８】
【発明の実施の形態】  以下、本発明の好ましい実施例について、添付図面を参照して説明する。図１は、本発明の遊技機用基板ボックスの一実施例である基板ボックス１が配設されたパチンコ機５０の裏面図である。図１に示すように、基板ボックス１は、遊技機の一種であるパチンコ機５０の入賞球集合カバー５２が設けられる遊技盤５１の裏面に取り付けられた取付板７に着脱可能に取着されている。基板ボックス１は、パチンコ機５０の遊技内容に関する制御プログラムやデータを記憶したＲＯＭ等の電子部品（制御部品）が搭載された制御回路基板５（図２参照）を被包するためのものであり、主に、ボックス本体２と、そのボックス本体２に覆設されるボックス蓋体３とを備えている。
【０００９】
このボックス本体２およびボックス蓋体３は、ポリカーボネート樹脂等の耐衝撃性を有する透明な合成樹脂等でそれぞれ構成されている。このボックス蓋体３の上壁面には（図１の上側）、制御回路基板５への不正行為を防止するために基板ボックス１を封印する際に使用される４つの封印部材３１が配設されており、基板ボックス１の下壁面にも（図１の下側）、同様に、４つの封印部材３１が配設されている。また、これらの各封印部材３１の後面、即ち、図１の前後方向（図１の紙面に対する垂直方向）の奥側には、各封印部材３１に対向して封印部材２１（図２参照）がそれぞれ配設されている。尚、図１では、基板ボックス１により被包される制御回路基板５を省略して図示している。
【００１０】
図２は、基板ボックス１の分解斜視図であり、図中の矢印はボックス本体２にボックス蓋体３を結合するため、ボックス本体２に対してボックス蓋体３をスライドさせる方向を図示している。図２に示すように、ボックス本体２およびボックス蓋体３は、いずれも略矩形皿状に形成されており、制御回路基板５をボックス本体２に収納した状態で、互いの開口面を対向させ合致（合体）させることにより、制御回路基板５を基板ボックス１により被包することができる。尚、図２では、封印部材２１，３１の外形を概略的に図示している。
【００１１】
ボックス本体２は、制御回路基板５が載置される略平板状の底板２ａと、その底板２ａの長手方向における両端部に上方へ向けて立設された一対の側壁２ｂ，２ｃとを備えている。また、ボックス蓋体３は、ボックス本体２の底板２ａに対向しつつボックス本体２の上部を覆う略平板状の天板３ａと、その天板３ａの長手方向における両端部に下方へ向けて立設された一対の側壁３ｂ，３ｃと、天板３ａの後側縁部から外方へ向け下降傾斜して形成された傾斜壁３ｄとを備えている。
【００１２】
ボックス本体２の側壁２ｂ，２ｃには４つの中空円柱状の封印部材２１がそれぞれ配設され、ボックス蓋体３の側壁３ｂ，３ｃには各封印部材２１に対応して４つの中空円柱状の封印部材３１がそれぞれ配設されている。この各封印部材２１，３１は制御回路基板５への不正行為を防止するため基板ボックス１を封印する部材であり、各封印部材２１は封印ねじ１１を螺入可能に形成された略中空円柱状のナット部材１２と、そのナット部材１２に螺入された封印ねじ１１を係止する略Ｏ字状のストッパ部材（プッシュナット）１３とをそれぞれ配置可能に形成されている。尚、封印ねじ１１は、ナット部材１２およびストッパ部材１３を介して、対向する一対の封印部材２１，３１を連結する特殊ねじである。
【００１３】
ボックス本体２の側壁２ｂに配設された４つの封印部材２１のうち、後側（図２の右側）に配設された３つの封印部材２１の外周面の前側（図２の左側）には、略板状の予備ねじ保持部材２１ａがそれぞれ一体に形成されている。この予備ねじ保持部材２１ａは、予備ねじ１１１を保持するためのものである。尚、ボックス本体２の側壁２ｃに配設された４つの封印部材２１のうち、前側（図２の左側）に配設された３つの封印部材２１の外周面の後側（図２の右側）にも、予備ねじ保持部材２１ａがそれぞれ一体に形成されている。
【００１４】
また、ボックス蓋体３の側壁３ｂに配設された４つの封印部材３１のうち、前側（図２の左側）に配設された３つの封印部材３１の外周面の後側（図２の右側）には、略平板状の予備ねじ保持板３１ａがそれぞれ一体に形成されている。この予備ねじ保持板３１ａは、予備ねじ保持部材２１ａに保持される予備ねじ１１１の上端を上方から押さえるためのものである。尚、ボックス蓋体３の側壁３ｃに配設された４つの封印部材３１のうち、後側（図２の右側）に配設された３つの封印部材３１の外周面の前側（図２の左側）にも、予備ねじ保持板３１ａがそれぞれ一体に形成されている。
【００１５】
ボックス本体２の底板２ａの後側縁部分（図２の後側）には、矩形状の開口された切欠部２ｄが形成されており、その切欠部２ｄの下方縁部分には、矩形枠状に形成された４つの係合枠２ｄ１が底板２ａの長手方向に略等間隔で形成されている。この各係合枠２ｄ１はボックス蓋体３の各係合爪３ｄ１と係合するものであり、各係合枠２ｄ１には係合爪３ｄ１が挿入可能な挿入穴２ｄ２がそれぞれ穿設されている。係合爪３ｄ１は、ボックス蓋体３の傾斜壁３ｄの下方に配設されており、上述した各係合枠２ｄ１に対応しつつ略等間隔で４つ隣接配設されている。
【００１６】
各係合爪３ｄ１の先端部分は略Ｊ字状にそれぞれ屈曲して形成されており、かかる係合爪３ｄ１の先端部分を係合枠２ｄ１の挿入穴２ｄ２に挿入することにより、各係合爪３ｄ１と各係合枠２ｄ１とを係合することができる。各係合爪３ｄ１の長手方向幅は、各挿入穴２ｄ２の長手方向幅より幅狭に形成されているので、各係合爪３ｄ１が挿入穴２ｄ２に挿入された場合に、挿入穴２ｄ２および係合爪３ｄ１の長手方向幅の差分長さだけ、ボックス本体２に対してボックス蓋体３を矢印方向（ボックス蓋体３の長手方向）へスライドさせることができる。
【００１７】
ボックス本体２の底板２ａの前側縁部（図２の手前側）には、矩形状に開口された切欠部２ｅが形成されており、この切欠部２ｅは、ボックス蓋体３がボックス本体２に覆設された場合に、基板ボックス１に収納された制御回路基板５に接続されるケーブルＫを導出するための導出口１ａを形成する。この導出口１ａを形成する切欠部２ｅの内側であって、底板２ａの前側縁部分上面には、制御回路基板５を支持する基板支持板２ｉが上方へ向けて立設されている。この基板支持板２ｉは矩形板状に形成されており、その上端面がボックス本体２に載置された制御回路基板５の下面と当接することにより、制御回路基板５を底板２ａの上方に支持することができるのである。尚、後述するアース部材８は切欠部２ｅにより形成される導出口１ａから基板ボックス１の外部へと導出することができる。
【００１８】
ボックス本体２の底板２ａの下面には、略台形板状のボックスロック板４を取着するための２つの取付部２ｊが下方へ向けて突出して並設されている。これらの取付部２ｊはそれぞれ円柱状に形成されており、その下面にはボックスロック板４をねじ止めする木ねじ等を挿入可能なねじ穴（図示せず）がそれそれ凹設されている。
【００１９】
これらの取付部２ｊを介してボックス本体２の下面に取着されるボックスロック板４は、透明なＡＢＳ樹脂等の合成樹脂で形成されており、ボックス本体２の２つの取付部２ｊをそれぞれ嵌合可能な２つの嵌合穴４ａが凹設されている。これらの各嵌合穴４ａに各取付部２ｊを嵌合して、ボックスロック板４の下面側から各嵌合穴４ａへ木ねじ等を挿入して、各取付部２ｊへねじ込むことにより、ボックスロック板４をボックス本体２の下面に取着することができるのである。また、ボックスロック板４の前側中央部分には上方へ向けて突出した係合爪４ｂが形成されている。この係合爪４ｂは、後述する取付板７に穿設された係合穴７ｅに係合可能に形成されている。
【００２０】
ボックス本体２の側壁２ｂおよびボックス蓋体３の側壁３ｃには矩形板状のロック板２ｆ，３ｆが外方へ向けて突設されており、ボックス本体２の側壁２ｃおよびボックス蓋体３の側壁３ｂにはロック板３ｆ，２ｆが係合される矩形平板状の係合板２ｇ，３ｇが配設されている。この係合板２ｇ，３ｇにはロック板３ｆ，２ｆが挿入可能な挿入口２ｈ，３ｈが穿設されており、ボックス本体２に合致されたボックス蓋体３を矢印方向へスライドさせると、かかる挿入口２ｈ，３ｈへロック板３ｆ，２ｆをそれぞれ挿入することができる。その結果、ロック板２ｆ，３ｆおよび係合板３ｇ，２ｇが係合され、ボックス本体２およびボックス蓋体３を結合することができる。
【００２１】
ボックス蓋体３の上面には略矩形状の凹部３ｅが２箇所に凹設されており、各凹部３ｅには木ねじ等が挿入される通穴３ｅ１がそれぞれ穿設されている。この各通穴３ｅ１は、制御回路基板５に取着される仕切部材６の上面に凹設された２つのねじ穴６ａに対応して穿設されており、ボックス本体２にボックス蓋体３を覆設した場合に、各通穴３ｅ１へ挿入された木ねじ等を各ねじ穴６ａにねじ込むことにより、ボックス蓋体３と仕切部材６とを連結することができる。
【００２２】
各凹部３ｅは封印シールを貼付するための部分であり、封印シールが貼付された場合に、封印シールがボックス蓋体３の上面より一段低い部分に貼付されることとなるので、貼付された封印シールが何かに引っかかり剥がれてしまうことが防止され、封印シールを位置決めしつつ貼付することができる。
【００２３】
尚、封印シールは、特殊な粘着部が塗布されたシール材で構成されており、この封印シールが貼付された後に剥がされると、シール材から粘着部が剥がれてしまう。よって、一度剥がされた封印シールを再度貼付することができないので、封印シールが不正に剥がされた場合には、かかる不正行為を容易に発見することができるのである。
【００２４】
また、各凹部３ｅに貼付される封印シールは、ボックス本体２に跨って貼付され、基板ボックス１の開封を防止するように貼付される。この場合、各封印シールは各通穴３ｅ１に覆い被さるように貼付されるので、各通穴３ｅ１に挿入された木ねじ等の抜き取り行為を防止することができる。更に、各封印シールはロック板２ｆ，３ｆが係合された係合板３ｇ，２ｇに跨って貼付される。よって、各封印シールを剥がさずに、基板ボックス１を開封するには、各封印シールを３カ所ずつ切断する必要がある。即ち、一方の封印シールについては、係合板３ｇの下端部分と挿入口３ｈに挿入されたロック板２ｆの上下端面部分の３カ所を、また、他方の封印シールについては係合板２ｇの上端部分と挿入口２ｈに挿入されたロック板３ｆの上下端面部分の３カ所を切断しなければならない。よって、基板ボックス１を不正に開封し、かかる開封行為を隠蔽する場合、封印シールの複数の切断箇所を接合する必要があり、隠蔽作業を容易に行うことができない。その結果、基板ボックス１の不正な開封行為を防止することができる。
【００２５】
ボックス蓋体３の側壁３ｃの内側面には略Ｌ字板状の内壁板３ｊが隣接して形成されている。この内壁板３ｊは、天板３ａ下面から下方へ向けて立設されており、その下端が側壁３ｃの下端より下側に位置するように形成されている。即ち、ボックス蓋体３がボックス本体２に覆設された場合に、内壁板３ｊの下端はボックス本体２の側壁２ｃの上端より下方へ突出するのである。よって、ボックス本体２に覆設されたボックス蓋体３を矢印方向へスライドした場合に、内壁板３ｊの下端部分をボックス本体２の側壁２ｃの上端部分に引っ掛けることができる。このように、内壁板３ｊが側壁２ｃに引っ掛かることにより、ボックス蓋体３の矢印方向へのスライドを停止させることができ、ボックス蓋体３をボックス本体２に確実に合致させることができる。
【００２６】
制御回路基板５は公知の略矩形薄板状の回路用基板であり、その下面（半田面）には後述する制御回路基板５を接地（アース）するための接地端子であるグランド５ａ（図３参照）および回路パターン（図示せず）がエッチング処理により形成されている。この制御回路基板５の上面（部品面）の前側縁部には仕切部材６が立設されており、仕切部材６は耐衝撃性を有するポリカーボネート樹脂等の合成樹脂等で略板状に形成されている。この仕切部材６は、制御回路基板５の前側縁部に立設されるので、ボックス本体２にボックス蓋体３を覆設し両者を合体させた場合に、基板ボックス１に形成される導出口１ａを閉鎖して、基板ボックス１の内外部を仕切ることができる。よって、基板ボックス１の外部からの制御回路基板５への接触行為を防止することができる。
【００２７】
仕切部材６の上面の長手方向両端部には、木ねじ等（図示せず）がねじ込まれるねじ穴６ａがそれぞれ穿設されている。各ねじ穴６ａは、ボックス蓋体３と仕切部材６とを連結するためのものであり、ボックス蓋体３の上面に穿設された２つの通穴３ｅ１に対応して穿設されている。各ねじ穴６ａの前側部分には、仕切部材６を制御回路基板５にねじ止めするためのねじ部材ｂ１（図３参照）を挿入する凹部６ｂが凹設されている。この各凹部６ｂの下端には、後述する通穴６ｃがそれぞれ穿設されている（図３参照）。尚、図２では、制御回路基板５の上面に搭載されるＲＯＭ等の電子部品を省略して図示している。
【００２８】
取付板７は、基板ボックス１をパチンコ機５０の遊技盤５１に取り付けるためのものであり、遊技盤５１にねじ止めにより取着可能に形成されている。この取付板７は、導電性を有する薄板状の金属材料、例えば、薄板鋼材等で形成されており、主に、ボックス本体２の底板２ａの下面に当接しつつ取り付けられる略矩形平板状の主板７ａを備えている。主板７ａの四隅には、ねじ部材を挿入可能な４つのねじ穴７ｂが穿設されており、各ねじ穴７ｂにねじ部材をそれぞれ挿入してねじ止めすることにより、取付板７を遊技盤５１に取着することができるのである。
【００２９】
主板７ａの前側縁部には、側壁７ｃが上方へ向けて立設されており、その側壁７ｃの長手方向両端部分の上部には、略Ｌ字状の爪部材７ｄがそれぞれ形成されている。また、主板７ａの長手方向略中央部分であって、後側縁部分には矩形状の開口された係合穴７ｅが穿設されている。この係合穴７ｅは上述したボックスロック板４の係合爪４ｂと係合可能に形成されており、この取付板７の係合穴７ｅにボックスロック板４の係合爪４ｂを係合することにより、基板ボックス１のボックス本体２を取付板７に取り付けることができるのである。
【００３０】
アース部材８は、制御回路基板５と取付板７とを電気的に接続するためのものであり、導電性を有するバネ鋼材等の金属材料で構成されている。このアース部材８は、側面視略Ｊ字状に形成された長板状の接続部８ａを備えており、接続部８ａの前側壁面と後側壁面とをボックス本体２の切欠部２ｅの端部分に跨げた状態でボックス本体２に配設することができる（図３参照）。この接続部８ａの長手方向両端部分には、左右対称の略Ｐ字状の取付部８ｂ，８ｂが一体成形されている。これらの各取付部８ｂは、制御回路基板５、仕切部材６と共にアース部材８をボックス本体２に取り付けるため、ねじ部材ｂ１によりねじ止めされるものであり、その上面には、ねじ部材ｂ１を挿入可能な通穴８ｂ１がそれぞれ穿設されている。
【００３１】
接続部８ａの後側壁面下端の略中央部分には、２つの平板状の保持部８ｃが後方へ向けて突出して形成されており、これらの保持部８ｃの上端面は、各取付部８ｂの上端面と略等しい高さに位置している。よって、アース部材８を制御回路基板５に取り付ける場合、制御回路基板５の前側縁部下面に各保持部８ｃおよび各取付部８ｂの上端面を当接させることができる。このため、アース部材８の接続部８ａが取付板７の爪部材７ｄの下方へ潜り込み、アース部材８が弾性変形する場合に、各取付部８ｂに加わる負荷を各保持部８ｃへと分散させることができる。その結果、各取付部８ｂに加わる負荷が軽減され、アース部材８の剛性を強化することができるのである。
【００３２】
図３は、制御回路基板５が被包された基板ボックス１の部分断面図であり、図中の矢印は基板ボックス１を取付板７に取り付ける際における基板ボックス１のスライド方向を示している。尚、図３では、基板ボックス１が取付板７に取り付けられた場合、即ち、取付板７の爪部材７ｄにより押さえ付けられて弾性変形した場合のアース部材８を実線で図示し、基板ボックス１が取付板７から取り外された場合、即ち、無負荷の状態であって弾性変形していない場合のアース部材８を２点差線で図示している。
【００３３】
図３に示すように、上述したボックス本体２の基板支持板２ｉの左側には、制御回路基板５、仕切部材６およびアース部材８をボックス本体２に取着するねじ部材ｂ１がねじ込まれる円柱状の基板保持部材２ｋが上方へ向けて立設されている。この基板保持部材２ｋの上端面にはねじ部材ｂ１をねじ込むためのねじ穴２ｋ１が凹設されており、その上端面にはアース部材８の取付部８ｂ、制御回路基板５、仕切部材６が下側から順に積層状態で載置されている。尚、基板保持部材２ｋは、図３に示すボックス本体２の前後方向（図３の紙面に対して垂直方向）の２箇所、即ち、図２に示すボックス本体２の底板２ａの前側縁部分の両端部分にそれぞれ１つずつ立設されている。
【００３４】
アース部材８の取付部８ｂ、制御回路基板５および仕切部材６には基板保持部材２ｋのねじ穴２ｋ１に対応して通穴８ｂ１，５ｂ、６ｃがそれぞれ穿設されており、各通穴８ｂ１，５ｂ，６ｃにはねじ部材ｂ１が挿入されている。ねじ部材ｂ１は公知の木ねじであり、その先端部分（図３の下側）が基板保持部材２ｋのねじ穴２ｋ１にねじ込まれると共に、その頭部（図３の上側）が仕切部材６の凹部６ｂの下面に掛合され、制御回路基板５、仕切部材６およびアース部材８をボックス本体２に取着するものである。
【００３５】
このねじ部材ｂ１によりボックス本体２に取着された制御回路基板５の下面であって、アース部材８の取付部８ｂとの当接部分には上述したグランド５ａが形成されており、制御回路基板５とアース部材８とが電気的に接続されている。一方、アース部材８の接続部８ａはボックス本体２の切欠部２ｅ上端の上方に跨設され、導出口１ａからボックス本体２の外部へ導出されている。また、かかる接続部８ａの湾曲した上端面は取付板７の爪部材７ｄの下面に当接しており、アース部材８と取付板７とが電気的に接続されている。よって、制御回路基板５と取付板７とが電気的に接続され、制御回路基板５の接地端子であるグランド５ａを取付板７に接地することができる。従って、制御回路基板５に悪影響を及ぼす電気的ノイズが取付板７により除去されるので、パチンコ機５０の遊技内容を制御するＲＯＭ等の電子部品の誤動作が抑制され、パチンコ機５０の誤動作を抑制することができる。
【００３６】
このアース部材８は、制御回路基板５に接続されるケーブルＫ（図２参照）を導出するための導出口１ａから基板ボックス１の外部へ導出されている。よって、取付板７に電気的に接続されたアース部材８により、制御回路基板５の電子部品へケーブルＫを介して入出力される電気的信号に悪影響を及ぼす電気的ノイズを除去することができ、パチンコ機５０の誤動作を抑制することができる。
【００３７】
アース部材８は上述したように導電性を有するバネ鋼材等の金属材料で弾変形可能に形成されており、基板ボックス１が取付板７から取り外された場合に、接続部８ｂの上端部分は取付部材７の爪部材７ｄより上方へ突出するように形成されている（図３の２点差線）。即ち、ボックス本体２の底板２ａ下面から２点差線で図示されたアース部材８の接続部８ａの上端までの高さは、取付板７の主板７ａの上面から爪部材７ｄの下面までの高さより大きく形成されている。よって、基板ボックス１が矢印方向へスライドされて取付板７に取り付けられた場合、２点差線で図示されたアース部材８は、実線で図示されたアース部材８のように弾性変形しつつ下降動作して、取付板７の爪部材７ｄの下方に当接する。従って、取付板７の爪部材７ｄをアース部材８の復元力により上方へ付勢するこができ、基板ボックス１を取付板７にガタつかせずに取り付けることができる。
【００３８】
このアース部材８の上端は爪部材７ｄへ向けて凸状に形成されており、この凸状に形成された接続部８ａの上端を介してアース部材８と取付板７との当接は行われる。よって、取付板７を付勢するアース部材８の付勢力が小さい場合であっても、アース部材８と取付板７との当接面に加わる圧力を大きくすることができるので、アース部材８と取付板７との接触抵抗を小さくすることができる。従って、制御回路基板５のグランド５ａと取付板７との間を流れる電流が流れやすくなる、即ち、導通性を良くすることができる。
【００３９】
仕切部材６の下面右側部分には円柱状の位置決め部材６ｄが下方へ向けて凸設されており、制御回路基板５には位置決め部材６ｄを嵌合可能な位置決め穴５ｃが穿設されている。よって、ねじ部材ｂ１により仕切部材６および制御回路基板５をボックス本体２にねじ止めする場合に、位置決め部材６ｄを位置決め穴５ｃに嵌合することにより、仕切部材６を制御回路基板５に対して位置決めすることができる。
【００４０】
次に、上述したように構成された基板ボックス１の組立方法について説明する。まず、ボックス本体２の側壁２ｂ，２ｃにそれぞれ配設された各封印部材２１内にストッパ部材１３を配置し、その上方からナット１２を配置する。その後、各封印部材２１に設けられた予備ねじ保持部材２１ａにより予備ねじ１１１を保持させる。その後、ボックス本体２の切欠部２ｅの上端部の上方にアース部材８の接続部８ａを跨設すると、取付部８ｂがボックス本体２の基板保持部材２ｋの上端に載置されて、アース部材８がボックス本体２に配置される。アース部材８の配置後、制御回路基板５をボックス本体２に載置し、アース部材８の取付部８ｂの上面と制御回路基板５のグランド５ａとを当接させる。
【００４１】
制御回路基板５の載置後、その位置決め穴５ｃに仕切部材６の位置決め部材６ｄを嵌合させて、仕切部材６を制御回路基板５に対して位置決めする。仕切部材６の位置決め後、仕切部材６の凹部６ｂへねじ部材ｂ１を挿入することにより、仕切部材６、制御回路基板５およびアース部材８の取付部８ｂの各通穴６ｃ、５ｂおよび８ｂ１へねじ部材ｂ１が挿入される。かかるねじ部材ｂ１が基板保持部材２ｋのねじ穴２ｋ１にねじ込まれると、その先端部分（図３の下側）が基板保持部材２ｋのねじ穴２ｋ１に螺合され、その頭部（図３の上側）が仕切部材６の凹部６ｂの下面に掛合されて、制御回路基板５、仕切部材６およびアース部材８がボックス本体２に取着される。
【００４２】
制御回路基板５、仕切部材６およびアース部材８の取着後、ボックス蓋体３の各係合爪３ｄ１の先端部分をボックス本体２の各係合枠２ｄ１の挿入口２ｄ２へ挿入して、各係合枠２ｄ１と係合爪３ｄ１とを係合させて、ボックス本体２とボックス蓋体３との互いの開口面を合致させ、ボックス本体２の底板２ａに対してボックス蓋体３の天板３ａを対向させつつ、ボックス本体２の上方にボックス蓋体３を覆設させる。ボックス蓋体３の覆設後、図２の矢印方向へボックス蓋体３をスライドさせると、ロック板２ｆ，３ｆが係合板３ｇ，２ｇの挿入口３ｈ，２ｈにそれぞれ挿入され、ロック板２ｆ，３ｆおよび係合板３ｇ，２ｇが係合されてボックス本体２とボックス蓋体３とが結合され、封印部材２１，３１が対向しつつ合致される。
【００４３】
一方、封印部材２１，３１が合致されると、各予備ねじ保持板３１ａは、各予備ねじ保持部材２１ａに保持された各予備ねじ１１１の上方に覆設される。封印部材２１，３１の合致後、ボックス蓋体３に穿設された各通穴３ｅ１と仕切部材６に凹設された各ねじ穴６ａとが対向しつつ合致する。その後、各通穴３ｅ１を介して仕切部材６の各ねじ穴６ａへ木ねじ等をねじ込み、ボックス本体２、ロック板２ｆ，３ｆ、係合板３ｇ，２ｇおよびボックス蓋体３の各凹部３ｅに跨るようにして、ボックス蓋体３の各凹部３ｅに封印シールをそれぞれ貼付する。
【００４４】
次に、各封印部材３１のうち、ボックス蓋体３の側壁３ｂの最も後側に配設された封印部材３１、及び、ボックス蓋体３の側壁３ｃの最前側に配設された封印部材３１に封印ねじ１１をそれぞれ挿入する。封印ねじ１１の挿入後、封印ねじ１１をナット１２へスクリュードライバ等のねじ回し工具によりねじ込む。封印ねじ１１がねじ込まれると、封印ねじ１１の先端部分は、ナット１２の下方に配置されたストッパ部材１３により係止され、封印ねじ１１が封印部材２１内にて抜き取り不可能な状態で保持される。
【００４５】
その結果、封印ねじ１１を反ねじ込み方向へ回転させた場合、封印ねじ１１は、封印ねじ１１を封印部材２１内から抜き取り不可能となるので、基板ボックス１に被包された制御回路基板５の電子部品を違法に取り外して、パチンコ機５０の遊技内容を変更する不正行為を防止することができる。また、封印部材２１，３１を破壊、切断等すれば基板ボックス１を開封することができるが、その場合には、基板ボックス１が開封された痕跡を確実に残すことができる。即ち、不正行為が行われたか否かを即座に発見することができるのである。
【００４６】
また、このようにして基板ボックス１が封印されると、各予備ねじ保持部材２１ａに保持された各予備ねじ１１１の上方には、各予備ねじ保持板３１ａが覆設され、予備ねじ１１１が抜き取り不可能な状態で保持される。よって、予備ねじ１１１が予備ねじ保持部材２１ａから抜け落ちることが防止されるので、予備ねじ１１１の紛失を防止することができる。また、予備ねじ１１１の不正な抜き取りを防止することができる。
【００４７】
次に、上記のように組み立てられた基板ボックス１と取付板７との結合方法について説明する。まず、ボックス本体２の取付部２ｊをボックスロック板４の嵌合穴４ａに嵌合して、木ねじ等によりボックス本体２の下面にボックスロック板４を取着する。このとき、ボックス本体２の下面とボックスロック板４の上面との間に取付板７の主板７ａが入り込み可能な間隙が形成される。ボックスロック板４の取着後、ボックス本体２の下面に取付板７の上面を当接して、ボックス本体２を図２の手前側（図３の矢印方向）へ向けてスライドさせると、取付板７の後側縁部分がボックス本体２の下面とボックスロック板４の上面との間に形成される間隙に入り込み、係合爪４ｂが係合穴７ｅに下側から填り込み、両者が係合される。
【００４８】
このように、ボックスロック板４の係合爪４ｂを取付板７の係合穴７ｅに係合するため、図３に示すように、基板ボックス１が取付板７に対して矢印方向へスライドされると、図３の２点差線の高さ位置にあるアース部材８の接続部８ａ上端面が取付板７の爪部材７ｄ右端部に当接される。基板ボックス１のスライドが更に続けられると、取付板７の爪部材７ｄにより、アース部材８が弾性変形して、その接続部８ａの上端部分が押し下げられ、アース部材８が爪部材７ｄの下方へ潜り込み、接続部８ａの上端面と爪部材７ｄの下面とが当接される。このようにして、アース部材８の接続部８ａと取付板７の爪部材７ｄとが当接されることにより、制御回路基板５のグランド５ａに接続されたアース部材８と取付板７とが電気的に接続され、制御回路基板５の接地端子であるグランド５ａが取付板７に接地される。よって、制御回路基板５に悪影響を及ぼす電気的ノイズが取付板７により除去することができるので、パチンコ機５０の遊技内容を制御するＲＯＭ等の電子部品の誤動作が抑制され、パチンコ機５０の誤動作を抑制することができる。
【００４９】
また、アース部材８は弾性変形しつつ爪部材７ｄに接続されているので、そのアース部材８の復元力により取付板７は上方へ向けて付勢される。よって、基板ボックス１を取付板７にガタつかせることなく取り付けることができる。
【００５０】
このように本実施例の基板ボックス１によれば、基板ボックス１が取付板７に取り付けられた場合、アース部材８によって、基板ボックス１に被包された制御回路基板５のグランド５ａと取付板７の爪部材７ｄとを電気的に接続することができる。よって、例えば、制御回路基板５のグランド５ａにアース線を接続すると共にそのアース線を取付板７にスクリュードライバ等を用いてねじ止めする必要がないので、基板ボックス１の取付板７への取り付け作業を簡素化することができる。しかも、基板ボックス１が取付板７に取り付けられた場合、アース部材８は弾性変形しつつ取付板７の爪部材７ｄの下面に潜り込み、その爪部材７ｄはアース部材８の復元力により付勢されるので、基板ボックス１を取付板７にガタつかせることなく取り付けることができる。
【００５１】
図４は、第２実施例の基板ボックス１０の分解斜視図であり、図中の矢印はボックス本体２０にボックス蓋体３を結合するため、ボックス蓋体３をスライドさせる方向を図示している。第２実施例の基板ボックス１０は、上述した第１実施例の基板ボックス１に対して、制御回路基板５の接地端子であるグランド５ａと取付板７とを接続するアース部材８に代えて、アース部材１８を使用したものである。以下、第１実施例と同一の部分には同一の番号を付してその説明は省略し、異なる部分のみを説明する。
【００５２】
このアース部材１８は、ボックス本体２０の底板２ａの後側左端部分に配設されており、ボックス本体２０の底板２ａの後側右端部分にも配設されている。この各アース部材１８はそれぞれ略同一形状に形成されており、その上側部分がボックス本体２０の底板２ａに立設された基板保持部材２０ｋに載置され（図４では一方のアース部材１８のみを図示する）、その下側部分がボックス本体２０の底板２ａの下面から外方へ向けて延出されている。このアース部材１８は、第１実施例のアース部材８と同様に、制御回路基板５の下面（半田面）にエッチング処理により形成されたグランド５ａと取付板７とを電気的に接続するものであり、導電性を有するバネ鋼材等の金属材料で構成されている。
【００５３】
図５（ａ）は、図４のボックス本体２０の側壁２ｃ側に配設されたアース部材１８の拡大斜視図であり、図５（ｂ）は、アース部材１８が配設されたボックス本体２０の側壁２ｂ側部分の部分断面斜視図である。図４および図５（ｂ）に示すように、各アース部材１８は、ボックス本体２０の底板２ａの上面に立設された円柱状の基板保持部材２０ｋの上端に載置される取付部１８ａと、その取付部１８ａに連結されボックス本体２０の外方へ向けて延出される延出部１８ｂとを備えている。尚、各アース部材１８は、それぞれ略同一に形成されているので、以降、図５（ｂ）を参照して、ボックス本体２０の側壁２ｃ側に配設されるアース部材１８について説明する。
【００５４】
このアース部材１８の取付部１８ａは板状に形成されており、その略中央部分には、ねじ部材ｂ２（図６参照）を挿入可能な通穴１８ａ１が穿設されている。この取付部１８ａは、上述したように基板保持部材２０ｋの上端面に載置されており、その基板保持部材２０ｋの上端面には、ねじ部材ｂ２をねじ込むためのねじ穴２０ｋ１が通穴１８ａ１に対応して凹設されている。この基板保持部材２０ｋと切欠部２ｄとの間部分の底板２ａ上には、長穴状の導出穴２ａ１が穿設されており、この導出穴２ａ１にアース部材１８の延出部１８ｂは通され、底板２ａの下面から外方へ向けて延出されている。この底板２ａから外方へ延出された延出部１８ｂはボックス本体２０の前側下方へ向けて下降傾斜して形成されており、延出部１８ｂの先端部分には略く字状に屈曲された板状の接続部１８ｃが形成されている。
【００５５】
この接続部１８ｃの下面略中央部分には、下方へ向けて凸設された凸部１８ｃ１が形成されており、かかる凸部１８ｃ１が取付板７の主板７ａの上面（図４参照）に当接して、アース部材１８と取付板７とが電気的に接続されるのである。一方、アース部材１８の取付部１８ａに当接する制御回路基板５の下面部分には制御回路基板５を接地（アース）するための接地端子であるグランド５ａがエッチング処理により形成され、取付板１８ａに穿設された通穴１８ａ１に対応してねじ部材ｂ２を挿入可能な通穴５ｂが穿設されている。
【００５６】
図６は、制御回路基板５が被包された基板ボックス１０の部分縦断面図であり、図中の矢印は延出部１８ｂの揺動方向を示している。図６に示すように、アース部材１８の取付部１８ａおよび制御回路基板５の各通穴１８ａ１，５ｂは、基板保持部材２０ｋのねじ穴２０ｋ１に対応してそれぞれ穿設されており、各通穴１８ａ１，５ｂにはねじ部材ｂ２が挿入されている。ねじ部材ｂ２は公知の木ねじであり、その先端部分（図６の下側）が基板保持部材２０ｋのねじ穴２０ｋ１にねじ込まれると共に、その頭部（図３の上側）が制御回路基板５の上面に掛合されており、制御回路基板５およびアース部材１８をボックス本体２０に取着している。
【００５７】
ねじ部材ｂ２によりボックス本体２０に取着された制御回路基板５の下面であって、アース部材１８の取付部１８ａとの当接部分には上述したグランド５ａが形成されており、制御回路基板５とアース部材１８とが電気的に接続されている。よって、基板ボックス１０が取付板７に取り付けられアース部材１８の接続部１８ｃの凸部１８ｃが取付板７の主板７ａに当接することにより、制御回路基板５と取付板７とが電気的に接続され、制御回路基板５の接地端子であるグランド５ａを取付板７に接地することができる。従って、制御回路基板５に悪影響を及ぼす電気的ノイズが取付板７により除去されるので、パチンコ機５０の遊技内容を制御するＲＯＭ等の電子部品の誤動作が抑制され、パチンコ機５０の誤動作を抑制することができる。
【００５８】
アース部材１８は上述したように導電性を有するバネ鋼材等の金属材料で弾性変形可能に形成されており、ボックス本体２０の底板２ａ下面から外方へ向けて下降傾斜して延出されている。また、この延出部１８ｂは矢印方向へ向けて揺動可能に形成されている。よって、例えば、基板ボックス１０が取付板７に取り付けられた場合、アース部材１８は、ボックス本体２０の底板２ａ下面と取付板７の主板７ａ上面との間に弾性変形した状態で挟まれて、取付板７の主板７ａの上面に当接する。従って、弾性変形したアース部材１８の復元力により取付板７の主板７ａを付勢するこができ、基板ボックス１０を取付板７にガタつかせることなく取り付けることができる。
【００５９】
このアース部材１８の接続部１８ｃは取付板７の主板７ａへ向けて凸状に形成された凸部１８ｃ１を備えており、この凸部１８ｃ１を介してアース部材１８と取付板７との当接は行われる。よって、取付板７を付勢するアース部材１８の付勢力が小さい場合であっても、アース部材１８と取付板７との当接面に加わる圧力を大きくすることができるので、アース部材１８と取付板７との接触抵抗を小さくすることができる。従って、制御回路基板５のグランド５ａと取付板７との間を流れる電流が流れやすくなる、即ち、導通性を良くすることができる。
【００６０】
図７は、第３実施例の基板ボックス１５の部分断面図である。第３実施例の基板ボックス１５は、上記各実施例に対して、制御回路基板５と取付板７０との電気的な接続方法を変更したものである。即ち、ボックス本体２５の底板２ａに穿設された嵌合穴２５ａにナット部材（接地部材）２６を嵌合すると共に、ナット部材２６に螺刻されためねじ２６ａにねじ部材ｂ３がねじ込まれ、制御回路基板５のグランド５ａとナット部材２６とが当接している。このナット部材２６は導電性を有する金属材料で構成されており、その下面は取付板７０の主板７ａの上面に凸設された凸部７１に当接している。よって、ナット部材２６および凸部７１を介して、制御回路基板５と取付板７０とを電気的に接続することができる。また、この凸部７１は導電性を有するバネ鋼材等の金属材料で構成されているので、この凸部７１を介して取付板７０を基板ボックス１５に対して付勢することができ、基板ボックス１５を取付板７０に対してガタつかせずに取り付けることができる。
【００６１】
以上、実施例に基づき本発明を説明したが、本発明は上記実施例に何ら限定されるものではなく、本発明の趣旨を逸脱しない範囲内で種々の改良変形が可能であることは容易に推察できるものである。
【００６２】
例えば、第２実施例では、ボックス本体２０の下面から外方へ向けて延出されるアース部材１８を２つ配設することにより、制御回路基板５と取付板７とを電気的に接続した。しかしながら、アース部材の個数は、必ずしも２つに限られるものではなく、例えば、アース部材をボックス本体の下面に１つだけ配設しても良い。
【００６３】
また、例えば、第３実施例では、凸部７１の上面をナット部材２６の下面に直接当接させて、制御回路基板５と取付板７０とを電気的に接続したが、凸部７１の上面にナット部材２６へ向けて突出した突起部（接続部材と遊技機用基板ボックスとの当接面）を設け、かかる突起部を介して凸部７１をナット部材２６に当接させても良い。
【００６４】
請求項１記載の遊技機用基板ボックスにおいて、前記接続部材は前記回路基板から導出される信号線を導出する導出口に配設されていることを特徴とする遊技機用基板ボックス１。この遊技機用基板ボックス１によれば、接続部材は、回路基板から導出される信号線を導出する導出口に配設されている。よって、遊技機用基板ボックス１を取付部材に取り付けた場合に、その取付部材に電気的に接続される接続部材により、信号線を介して入力または出力される電気的信号に悪影響を及ぼす電気的ノイズを除去することができ、遊技機の誤動作を抑制することができる。
【００６５】
遊技機用基板ボックス１または請求項１記載の遊技機用基板ボックスにおいて、前記接続部材の前記取付部材との当接面は、その取付部材へ向けて凸状に形成されていることを特徴とする遊技機用基板ボックス２。この遊技機用基板ボックス２によれば、接続部材の取付部材との当接面は取付部材へ向けて凸状に形成されており、接続部材と取付部材との接触は凸状に形成された当接面を介して行われる。よって、取付部材を付勢する接続部材の付勢力が小さい場合であっても、接続部材と取付部材との接触面に加わる圧力を大きくすることができるので、接続部材と取付部材との接触抵抗を小さくすることができる。従って、回路基板のグランドから取付部材へと流れる電流を流れやすくすることができるのである。
【００６６】
遊技機に配設される導電性を備えた取付部材と、その取付部材に着脱可能に取り付けられて使用されると共に、前記遊技機の遊技内容を制御する回路基板を被包する遊技機用基板ボックスとを備えた遊技機用基板ボックスユニットにおいて、前記取付部材に配設され、その取付部材に前記遊技機用基板ボックスが取り付けられた場合に、その取付部材と前記回路基板のグランドとを電気的に接続するとともに、前記遊技機用基板ボックスを付勢する弾性変形可能に形成された接続部材を備えていることを特徴とする遊技機用基板ボックスユニット１。
【００６７】
遊技機用基板ボックスユニット１において、前記接続部材の前記遊技機用基板ボックスとの当接面は、その遊技機用基板ボックスへ向けて凸状に形成されていることを特徴とする遊技機用基板ボックスユニット２。
【００６８】
【発明の効果】  請求項１記載の遊技機用基板ボックスユニットによれば、遊技機用基板ボックスが取付部材に取り付けられた場合、接続部材によって、遊技機用基板ボックスに被包された回路基板のグランドと取付部材とを電気的に接続することができる。よって、回路基板のグランドにアース線を接続すると共にそのアース線を取付部材にスクリュードライバ等を用いてねじ止めする必要がないので、遊技機用基板ボックスの取付部材への取り付け作業を簡素化することができるという効果がある。しかも、遊技機用基板ボックスが取付部材に取り付けられた場合、接続部材は弾性変形して取付部材（取付部材の爪部材）を付勢するので、遊技機用基板ボックスを取付部材にガタつかせることなく取り付けることができるという効果がある。
【００６９】
また、接続部材（接続部）は回路基板から導出される信号線を導出する導出口に配設されているので、遊技機用基板ボックスを取付部材に取り付けた場合に、その取付部材に電気的に接続される接続部材により、信号線を介して入力または出力される電気的信号に悪影響を及ぼす電気的ノイズを除去することができ、遊技機の誤動作を抑制することができるという効果がある。
【００７０】
更に、接続部材と取付部材との接触は凸状に形成された接続部を介して行われるので、取付部材を付勢する接続部材の付勢力が小さい場合であっても、接続部材と取付部材との接触面に加わる圧力を大きくすることができ、接続部材と取付部材との接触抵抗を小さくすることができるという効果がある。従って、回路基板のグランドから取付部材へと流れる電流を流れやすくすることができる。
【００７１】
請求項２記載の遊技機用基板ボックスユニットによれば、遊技機用基板ボックスが取付部材に取り付けられた場合、接続部材によって、遊技機用基板ボックスに被包された回路基板のグランドと取付部材とを電気的に接続することができる。よって、回路基板のグランドにアース線を接続すると共にそのアース線を取付部材にスクリュードライバ等を用いてねじ止めする必要がないので、遊技機用基板ボックスの取付部材への取り付け作業を簡素化することができるという効果がある。しかも、遊技機用基板ボックスが取付部材に取り付けられた場合、接続部材は弾性変形して取付部材を付勢するので、遊技機用基板ボックスを取付部材にガタつかせることなく取り付けることができるという効果がある。
【００７２】
更に、接続部材と取付部材との接触は凸部を介して行われるので、取付部材を付勢する接続部材の付勢力が小さい場合であっても、接続部材と取付部材との接触面に加わる圧力を大きくすることができ、接続部材と取付部材との接触抵抗を小さくすることができるという効果がある。従って、回路基板のグランドから取付部材へと流れる電流を流れやすくすることができる。
【図面の簡単な説明】
【図１】  本発明の遊技機用基板ボックスの一実施例である基板ボックスが配設されたパチンコ機の裏面図である。
【図２】  基板ボックスの分解斜視図である。
【図３】  制御回路基板が被包された基板ボックスの部分断面図である。
【図４】  第２実施例の基板ボックスの分解斜視図である。
【図５】  （ａ）は、ボックス本体の側壁側に配設されたアース部材の拡大斜視図であり、（ｂ）は、アース部材が配設されたボックス本体の側壁側部分の部分断面斜視図である。
【図６】  制御回路基板が被包された基板ボックスの部分断面図である。
【図７】  第３実施例の基板ボックスの部分断面図である。
【符号の説明】
１，１０，１５  基板ボックス（遊技機用基板ボックス、遊技機用基板ボックスユニットの一部）
２，２０，２５  ボックス本体
３              ボックス蓋体
５              制御回路基板（回路基板）
５ａ            グランド
７，７０        取付板（取付部材、遊技機用基板ボックスユニットの一部）
８，１８        アース部材（接続部材）
８ａ            接続部（接続部材の取付部材との当接面）
１ａ            導出口
１８ｃ１        凸部（接続部材の取付部材との当接面）
２１，３１      封印部材
２６            ナット部材（グランドの一部）
５０            パチンコ機（遊技機）
５１            遊技盤
５２            入賞球集合カバー
７１            凸部（接続部材）
Ｋ              ケーブル（信号線）